(57)【要約】      （修正有）【課題】靴を装着する装着ベルトとの連結が行ないやすくなるとともに、カンジキを装着して歩行しても靴が左右にずれ難くするカンジキの靴装着用取り付け具を提供する。【解決手段】カンジキ１０の所定位置に配される靴の外側の位置に連結用掛止部材３１ｂが起立可能な状態で設けられ、前記連結用掛止部材３１ｂを起立させた状態にして靴を装着する装着ベルトと連結されることで、カンジキ１０に装着した靴５０が使用中にずれ難くする。【選択図】図８
0003203526.tif 000002
【実用新案登録請求の範囲】
【請求項１】
登山靴などの靴で雪の上などを歩くためのカンジキに装着して、靴を固定するために靴を装着する装着ベルトとともに連結して使用されるカンジキの靴装着用取り付け具であって、
カンジキの所定位置に配される靴の外側の位置に連結用掛止部材が起立可能な状態で設けられ、前記連結用掛止部材を起立させた状態にして靴を装着する装着ベルトと連結されることを特徴とするカンジキの靴装着用取り付け具。
【請求項２】
前記連結用掛止部材は、靴を装着する装着ベルトが通されるバックルを備え、前記バックルの取り付け方向が靴の側面や靴に外側に沿って接触するように垂下する前記装着ベルトの面の方向と一致するか、又は、前記連結用掛止部材は、所定の幅をもって円環状に構成され、前記円環状の所定幅の方向が靴の側面や靴に外側に沿って接触するように垂下する前記装着ベルトの面の方向と一致することを特徴とする請求項１記載のカンジキの靴装着用取り付け具。
【請求項３】
前記カンジキの靴装着用取り付け具は、カンジキの左右の部材間に掛け渡すようにして輪っか状に取り付けられ、前記連結用掛止部材は靴の左右に一対取り付けられることを特徴とする請求項１又は２記載のカンジキの靴装着用取り付け具。
【請求項４】
前記カンジキの靴装着用取り付け具に巻き締め用ベルトを巻き締めるとともに、前記連結用掛止部材に巻き締め用ベルトを掛止させることを特徴とする請求項１又は２記載のカンジキの靴装着用取り付け具。
【請求項５】
靴のかかと部を円弧状に固定する円弧状固定ベルト、又は、靴の前方側に長さ調節可能な前方側装着ベルトを備え、前記連結用掛止部材と連結されるか、又は、Ｄ型リングやＯ型リングやバックルや靴の側面に沿って接触するように配される垂下部材などの連通穴を有する連結手段を介して連結されることを特徴とする請求項１ないし４のいずれか１項記載のカンジキの靴装着用取り付け具。
【考案の詳細な説明】
【技術分野】
【０００１】
本考案は、靴をカンジキに装着するカンジキの靴装着用取り付け具に関する。
【背景技術】
【０００２】
カンジキは登山者等が深い雪の上を歩くときに使用するものであり、靴の上に装着して足が雪中に深く沈み込まないようにするために使われる。雪が深くないときは歩行の妨げになるため、雪が深くなる所で装着し、雪が浅くなるところで取り外す。もともとは猟師が使っていたものと言われ、本来は木の枝をＵ字型に曲げたものを二つ組み合わせて片足分として、縄で靴の上からに縛り付けて使うものであった。
【０００３】
特許文献１にはベルト等を用いて靴をカンジキに装着するものが開示されている。特許文献２には専用のカンジキと専用の靴を用いて靴を固定するものが開示されている。
【特許文献１】特開２００８−０３５９３１号公報
【特許文献２】特開２００２−２５３３０３号公報
【考案の開示】
【考案が解決しようとする課題】
【０００４】
しかしながら、特許文献１では、カンジキの両方の直線部分に渡した２本の部材の上に靴を載せ、それぞれの部材の両側に巻いた部材に金具を取り付け、その金具を利用して靴を固定するものである。この構造では、靴の左右方向の移動を防止することができず、カンジキを使用して雪中を歩行すると靴がずれてバランスを崩し、歩行し難いという問題点があった。また、特許文献２では、カンジキと靴は、セットで用いられるものであるから汎用性が乏しいという問題点があった。
また、図１２（ａ）（ｂ）に示すように、カンジキの靴装着用取り付け具１２１とは別の連結用掛止部材１３２を用いて、靴を装着する装着ベルトと連結して使用される連結用掛止部材１３２がバックル１３２ｂの穴に通されるが、バックル１３２ｂが横向きで取り付けられると（バックル１３２ｂの面が靴と垂直姿勢になる）、靴を装着する装着ベルトが捩れた状態になってしまい、靴の締め付けが十分になされなくなったり、その連結作業もスムーズに行なうことができなくなったり、また、上記横向きになると、靴の底に配されるカンジキの靴装着用取り付け具１２１の弾力性が失われて、雪道での歩行が難しくなる問題を有していた。
【０００５】
そこで本考案の目的は、靴を装着する装着ベルトとの連結が行ないやすくなるとともに、カンジキを装着して歩行しても靴が左右にずれ難くするカンジキの靴装着用取り付け具を提供することにある。
【課題を解決するための手段】
【０００６】
本考案のカンジキの靴装着用取り付け具は、登山靴などの靴で雪の上などを歩くためのカンジキに装着して靴を固定するためのカンジキの靴装着用取り付け具であって、カンジキの所定位置に配される靴の外側の位置に連結用掛止部材が起立可能な状態で設けられ、前記連結用掛止部材を起立させた状態にして靴を装着する装着ベルトと連結されることを特徴とする。
本考案によれば、靴を装着するための連結用掛止部材がカンジキの靴装着用取り付け具に起立可能な状態で取り付けられているので、靴の外側に連結用掛止部材を立て掛けるようにしてから、靴を装着する装着ベルトと容易に連結させることができる。また、連結用掛止部材を靴の側面に固定する板状の部材やバックルとして構成すると、カンジキの靴装着用取り付け具で歩行しても、靴がずれてバランスを崩し、歩行がし難いということがなくなる。
【０００７】
本考案としては、前記連結用掛止部材は、靴を装着する装着ベルトが通されるバックルを備え、前記バックルの取り付け方向が靴の側面や靴に外側に沿って接触するように垂下する前記装着ベルトの面の方向と一致するか、又は、前記連結用掛止部材は、所定の幅をもって円環状に構成され、前記円環状の所定幅の方向が靴の側面や靴に外側に沿って接触するように垂下する前記装着ベルトの面の方向と一致することを特徴とする。
本考案によれば、前記連結用掛係部材のバックルや円環状部材の幅方向が靴の側面に沿って配される垂下部材や装着ベルトの幅の方向が一致していることにより、カンジキの靴装着用の取り付け具の靴固定部が捩れたり曲がったりすることを防止するとともに、バックル等に靴を固定するための装着ベルト等を通しやすくなる。
【０００８】
本考案としては、前記カンジキの靴装着用取り付け具に巻き締め用ベルトを巻き締めるとともに、前記連結用掛止部材に巻き締め用ベルトを掛止させることを特徴とする。
本考案によれば、前記カンジキの靴装着用取り付け具に巻き締め用ベルトを取り巻いて締め込むとともに、前記連結用掛止部材に巻き締め用ベルトを掛止させるので、更にカンジキの靴装着用取り付け具がずれにくくなる。また、前記カンジキの靴装着用取り付け具に巻き締め用ベルトを取り巻いて締め込むので、靴の底部側の弾力性が発揮されて、雪道における歩行がし易くなる。
また、本考案としては、靴のかかと部を円弧状に固定する円弧状固定ベルト、又は、靴の前方側に長さ調節可能な前方側装着ベルトを備え、前記連結用掛止部材と連結されるか、又は、Ｄ型リングやＯ型リングやバックルや靴の側面に沿って接触するように配される垂下部材などの連通穴を有する連結手段を介して連結されることを特徴とする。
本考案によれば、前記カンジキの靴装着用取り付け具に巻き締め用ベルトを取り巻いて締め込むとともに、前記連結用掛止部材に巻き締め用ベルトを掛止させるので、更にカンジキの靴装着用取り付け具がずれにくくなる。また、前記カンジキの靴装着用取り付け具に巻き締め用ベルトを取り巻いて締め込むので、靴の底部側の弾力性が発揮されて、雪道における歩行がし易くなる。
【考案の効果】
【０００９】
本考案によれば、前記連結用掛止部材を起立させて靴を装着させる装着ベルトと連結する作業が行ない易くなるともに、カンジキに装着した靴は、歩行中に左右にずれ難くし、安定して歩行ができるようになる。また、従来の装着方法と比較して、靴の底部に位置するカンジキの靴装着用取り付け具の弾力性が発揮されやすくなり、前記カンジキの靴装着用取り付け具に巻き締め用ベルトを巻き締めるとともに、前記連結用掛止部材に巻き締め用ベルトを掛止させることにより、より一層弾力性が発揮されるようになる。
【図面の簡単な説明】
【００１０】
【図１】本考案に使用されるカンジキを示す斜視図である。
【図２】本考案のカンジキの靴装着用取り付け具を示す斜視図である。
【図３】カンジキにカンジキの靴装着用取り付け具を装着した状態を示す斜視図である。
【図４】本考案で使用される巻き締め用ベルトの例を示す図である。
【図５】カンジキにカンジキの靴装着用取り付け具及び巻き締め用ベルトを装着した状態を示す斜視図である。
【図６】本考案のカンジキの靴装着用取り付け具の連結用掛止部材にＤ型リングを装着した状態を示す斜視図である。
【図７】本考案のカンジキの靴装着用取り付け具に靴を装着する装着ベルトを装着した状態を示す斜視図である。
【図８】カンジキに靴を装着した状態を示す斜視図である。
【図９】本考案のカンジキの靴装着用取り付け具の使用状態を説明する図である。
【図１０】本考案のカンジキの靴装着用取り付け具とカンジキの靴かかと部固定用取り付け具を示す図である。
【図１１】図２で示した本考案のカンジキの靴装着用取り付け具の別形態を示す図である。
【図１２】従来のカンジキの靴装着用取り付け具を示す図である。
【考案を実施するための形態】
【００１１】
以下、本考案を実施するための最良の形態を図面にもとづいて説明する。説明の順序は本考案のカンジキの靴装着用取り付け具を組み立てる順序に基づいている。なお、カンジキは、わら(藁)沓（くつ）やゴム長靴などの下につけて雪上，湿地の歩行や作業に用いるはきものであり、雪の中に足が埋まらぬよう木の板や竹で輪や枠をつくり，縄をつけて沓をしばるものであり、輪っか状のタイプと、輪っか状ではないタイプがある。輪っから状のタイプがほとんどである（これを「輪かんじき」と呼んでいる）。本明細書中では、輪かんじきを例に説明するが、輪っか状ではタイプのカンジキにも本発明は適用可能である。アイゼンは、氷や氷化した雪の上を歩く際に滑り止めとして靴底に装着する、金属製の爪が付いた登山用具である。
【００１２】
図１は、本考案に係るカンジキ１０を示す斜視図である。カンジキ１０は、前後の円弧状部と、左右側の対向する２カ所の直線部１１が変更して形成されており、直線部１１に下向きにそれぞれ爪１５が配されている。
【００１３】
図２は、本考案のカンジキの靴装着用取り付け具１２を示す斜視図である。カンジキの靴装着用取り付け具１２は、布や革などで柔軟性をもちつつ伸びにくい素材で所定の幅をもって円環状に形成された部分を有して連結用掛止部材３１が設けられ、連結用掛止部材３１の円環状部分３１ａが外側になるようにバックル３１ｂが取り付けられ、円環状部分を重ね合わせた内側に同様の素材でカンジキの靴装着用の取り付け具１２の靴固定部３０が固定されている。カンジキの靴装着用の取り付け具１２の円環状部分３１ａにバックル３１ｂの「日」形状（或いはＥ形状）の中の横棒を通しており、カンジキの靴装着用の取り付け具１２の靴固定部３０は前記バックル３１ｂを円環状のベルトに固定する。
【００１４】
図３は、カンジキ１０にカンジキの靴装着用取り付け具１２を装着した状態を示す斜視図である。２本のカンジキの靴装着用の取り付け具１２を、カンジキ１０の直線部に、バックル３１ｂが爪１５の突出方向とは逆になるように配置し、当該２つのカンジキの靴装着用の取り付け具１２が外れないように、連結ベルト１３にて締め込む。なお、２本のカンジキの靴装着用の取り付け具１２は、カンジキの爪１５を挟み込むように取り付けられる。本考案としては、カンジキの爪１５を覆うカバーを繋ぐ連結部材がカンジキ１０の左右の部材間に配されているが、この連結部材１２Ｃに連結用掛止部材３１が取り付けられていても良い。
【００１５】
図４は、巻き締め用ベルト１４を拡大し個別に表示した図４（ａ）である。布や革などで柔軟性をもちつつ伸びにくい素材で所定の幅を持っており、前記カンジキの靴装着用の取り付け具１２を下方から巻き込んだ後、それぞれ直角に方向を転換し（図４（ｂ））、その端を前記バックル３１ｂの穴に通すように構成されている。
ここで、本実施の形態に関わらず、本考案のカンジキの靴装着用取り付け具１２が図１１のように、連結用掛止部材３１a、３１ｂをカンジキに掛け渡す下側に配置させ、上側に前記連結掛止部材３１ａ、３１ｂを通す穴を開けた構造としてもよい。この図１１の実施形態によれば、後述する補助部材（巻き締め用ベルト１４）を使用せずとも、靴５０は、弾力性をもってカンジキ１０に緩むことなく取り付けられる。
【００１６】
図５は、前記図３の状態にしたものに、前記巻き締め用ベルト１４を装着した状態を示す斜視図である。当該巻き締め用ベルト１４で前記カンジキの靴装着用の取り付け具１２におけるカンジキ１０の直線部１１に近い箇所を締め込むことで、さらにカンジキの靴装着用の取り付け具１２が移動しないように固定される。
【００１７】
図６は、前記図５の状態にしたものに、Ｄリング３３を装着した状態を示す斜視図である。当該Ｄリング３３は、巻き締め用ベルト１４の一方の端に通されて配される。
【００１８】
図７は、前記図６の状態にしたものに、靴５０（図８参照）を装着するための前方側装着ベルト４０、４２及び、後方側装着ベルト４３を装着した状態を示す斜視図である。
【００１９】
図８は、靴５０をカンジキ１０に装着した状態を示す斜視図である。
第１の前方側装着ベルト４０は靴５０の甲部分を固定するためのものであり、第２の前方側装着ベルト４２は靴５０の足首部分前方を固定するためのものであり、後方側装着ベルト４３カンジキの靴かかと部固定用取り付け具４３は靴５０の足首部分後方（かかとの上方）を固定するためのものである。前記各前方側装着ベルト４０，４２は布や革などで柔軟性をもちつつ伸びにくい素材で所定の幅を持っている。
また、靴５０の足首部分を固定する２つの前方側装着ベルト４２と後方側装着ベルト４３カンジキの靴かかと部固定用取り付け具４３は、足首（踝）両側に配したＹ形の垂下部材４１を介してＤリング３３に固定されている。前記各前方側装着ベルト４０、４２、及び後方側装着ベルト４３の靴５０への固定は、バックル３２、３３によって行われる。
【００２０】
図１０は、カンジキの靴かかと部固定用取り付け具４３を説明する図である。カンジキの靴かかと部固定用取り付け具４３は、前方側装着ベルト４２や、前記円弧状固定ベルトと連結して靴の外周に沿って接触するように垂下する垂下部材４１とを備えて、これらの両部材４３，４１と靴５０を装着する装着ベルト４２が連結されて使用される。本実施の形態の前方側装着ベルト４２は、その合成樹脂製のベルト状の表面の係止爪が連続的に形成されるとともに前記凹凸に掛止する係止部材を備えたロック手段を備え、前記カンジキの靴かかと部固定用取り付け具４３と連結されて使用される（図１１（ａ））。また、前方側装着ベルト４２としては、布製のベルトと、それを連結するＯ型リング３６とを備えて、これらが連結させるものでも良い（図１０（ｂ））。この場合は、布製のベルト４６が前方側装着ベルト４２であり、Ｏ型リング３６が前記垂下部材４１であるが、前方側装着ベルト４２を備えて、これらが連結させるものでも良い。
【００２１】
この例のように、靴５０の後方側においても、カンジキの靴装着用取り付け具１２の連結用掛止部材３１ａは、靴５０を装着する装着ベルト４２が通されるバックル３１ｂを備えるか、又は、所定の幅をもって円環状に構成され、板状の垂下部材４１の面の方向と一致するので、靴を固定する装着ベルト４２との連結が行ない易く、また、靴の側方と接触するようにして、靴を固定することが出来る。
【００２２】
以上、本実施の形態に関わらず、本考案のカンジキの靴装着用取り付け具に靴を固定する方法が異なったものであっても、本考案のカンジキの靴装着用取り付け具、又は締め込みベルトを用いることで同様の作用効果を奏することは言うまでも無い。例えば、本実施の形態のカンジキの靴装着用取り付け具１２を、カンジキ１０の刃１０ａを覆うカバー１６ｃが設けられるバンド１６に取り付けるか、又は、このバンド１６に前記連結用掛止部材（バックル）を取り付けて、カンジキの靴装着用取り付け具１２としても良い。また、本実施の形態では、輪っか状のカンジキの靴装着用取り付け具１２で説明したが、バックルなどの長さ調節部材を備えたベルトを輪っか状に長さ調節して使用しても良い。
【符号の説明】
【００２３】
１０          カンジキ、
１１          カンジキ直線部、
１２          カンジキの靴装着用の取り付け具、
１３          連結ベルト、
１４          巻き締め用ベルト、
１５          爪
３０          カンジキの靴装着用の取り付け具の靴固定部、
３１ａ        円環状部分（カンジキの靴装着用の取り付け具の連結用掛止部材）、
３１ｂ        バックル（カンジキの靴装着用の取り付け具の連結用掛止部材）、
３２          カンジキの靴装着用取り付け具の別形態、
３２ａ        連結掛止部材を通す穴
４０、４２    前方側装着ベルト、
４１          垂下部材、
４３          アイゼン・カンジキの靴装着用取り付け具（後方側装着ベルト）、
４３ｂ        後方側装着ベルトの長さ調整用バックル、
５０          靴
【図１】
0003203526.tif 000003
【図２】
0003203526.tif 000004
【図３】
0003203526.tif 000005
【図４】
0003203526.tif 000006
【図５】
0003203526.tif 000007
【図６】
0003203526.tif 000008
【図７】
0003203526.tif 000009
【図８】
0003203526.tif 000010
【図９】
0003203526.tif 000011
【図１０】
0003203526.tif 000012
【図１１】
0003203526.tif 000013
【図１２】
0003203526.tif 000014